(57)【要約】【課題】点消火ボタンの周囲にリング状の火力調節ダイヤルを設けたガス制御装置を、ガスバーナーの点火操作の際、点消火ボタンの押込み操作に連動して火力調節ダイヤルが強火力側に強制的に回転させるように構成した場合、開弁位置で調理者の火力調節ダイヤルの操作感に悪影響を及ぼす可能性がある。【解決手段】点消火ボタン５の押込み操作により閉弁位置から開弁位置に移動させると点火操作が行われるように構成する。その押込み操作に連動してガスバーナーの火力を所定の火力にするように火力調節ダイヤル７を強制的に回転させる強制回転手段５１を設け、この強制的な回転を点消火ボタンが開弁位置に到達する前に完了させる。開弁位置では点消火ボタンと火力調節ダイヤルとの間の強制回転手段による係合関係は解除されるようにする。【選択図】　図２
2004012063.tif 000002
【特許請求の範囲】
【請求項１】
前後方向に移動自在な点消火ボタンを備え、該点消火ボタンの前後方向に、ガスバーナーに連なるガス通路を閉鎖する閉弁位置と、該ガス通路を開放保持する開弁位置とを設け、該点消火ボタンの周囲に、ガスバーナーへの燃料ガスの供給量を調節して火力の調節を可能とするリング状の火力調節ダイヤルを設けたガス制御装置において、
点火操作は、前記点消火ボタンの押込み操作により閉弁位置から開弁位置に移動するように構成し、
前記閉弁位置から開弁位置までの前記点消火ボタンの押込み操作に連動して、ガスバーナーの火力が所定の火力なるように前記火力調節ダイヤルを強制的に回転させる強制回転手段を設け、該強制回転手段による火力調節ダイヤルの強制的な回転を、点消火ボタンが開弁位置に到達する前に完了させ、開弁位置で点消火ボタンと火力調節ダイヤルとの間の強制回転手段による係合関係を解除するようにしたことを特徴とするガス制御装置。
【請求項２】
前記強制回転手段を、点消火ボタンの外周面に設けた半径方向の孔に外側に向かって付勢して設けた突出片と、火力調節ダイヤルの内周面に設けたカム溝とから構成し、閉弁位置から開弁位置への点消火ボタンの移動に伴って突出片が前記孔内に収納されてカム溝から離れ、開弁位置で、突出片がカム溝と係合しないようにしたことを特徴とする請求項１記載のガス制御装置。
【発明の詳細な説明】
【０００１】
【発明の属する技術分野】
本発明は、例えばガスコンロに設けたガスバーナーへの燃料ガスの供給を制御するガス制御装置に関する。
【０００２】
【従来の技術】
この種のガス制御装置は、例えば特許第２７４２３５６号公報が知られている。このものは、例えばガスコンロの前面パネルに設けた前後方向に移動自在な点消火ボタンを有し、該点消火ボタンの前後方向の異なる３個の位置には、ガスバーナーに連なるガス通路を開放保持する開弁位置と、ガスバーナーの点火手段を作動させる点火位置と、ガス通路を閉鎖する閉弁位置とが設けられている。
【０００３】
閉弁位置から点消火ボタンを押圧操作すると、点消火ボタンが点火位置に移動し、ガス通路を開放すると共にガスバーナーの点火手段を作動させる。ガスバーナーが着火したことを確認して点消火ボタンの押圧を開放すると、点消火ボタンは突出して開弁位置に移動する。
【０００４】
開弁位置では、ガスバーナーの火力調節が点消火ボタンの周囲に設けたリング状の火力調節ダイヤルによって行われる。火力調節ダイヤルは、ガス通路に設けられガス通路の開口面積を変化させてガスバーナーへの燃料ガスのガス流量を調節するガス流量調節手段と連動している。
【０００５】
ガスバーナーの燃焼を停止する場合、開弁位置に在る点消火ボタンを押込み操作して閉弁位置まで移動させると、ガス通路が閉鎖されてガスバーナーが消火される。
【０００６】
ここで、ガスバーナーの点火操作時、燃料ガスへの着火を確実に行うには、例えばガスバーナーの火力が強または中になるように燃料ガスをガスバーナーの混合管に供給するのがよい。
【０００７】
このため、上記のものでは、ガスバーナーを消火する際、点消火ボタンの押圧操作に連動して火力調節ダイヤルを強火位置まで強制的に回転させるリセット手段を設けている。
【０００８】
上記のものは、リセット手段を設けているので点消火ボタンの閉弁位置では火力調節ダイヤルを回転させることができない。
【０００９】
【発明が解決しようとする課題】
このため、点消火ボタンを押圧操作する際、例えばカム機構を用いた強制回転手段によってガスバーナーの火力が強または中になるように火力調節ダイヤルが強制的に回転されるようにし、点消火ボタンの閉弁位置では、火力調節ダイヤルが回転自在になるように構成することが提案される。
【００１０】
ところが、単に強制回転手段を設けると、開弁位置で火力調節ダイヤルを回転させて火力調節する場合、強制回転手段が係合状態であると、火力調節ダイヤルの操作性が悪くなり、調理者の回転操作感に悪影響を与える可能性がある。
【００１１】
そこで、本発明は、上記点に鑑み、ガスバーナーの開弁位置で火力調節を行う場合に回転操作感に影響を及ぼさないようにしたガス制御装置を提供することを課題とする。
【００１２】
【課題を解決するための手段】
上記課題を解決するために、本発明のガス制御装置は、前後方向に移動自在な点消火ボタンを備え、該点消火ボタンの前後方向に、ガスバーナーに連なるガス通路を閉鎖する閉弁位置と、該ガス通路を開放保持する開弁位置とを設け、該点消火ボタンの周囲に、ガスバーナーへの燃料ガスの供給量を調節して火力の調節を可能とするリング状の火力調節ダイヤルを設けたガス制御装置において、点火操作は、前記点消火ボタンの押込み操作により閉弁位置から開弁位置に移動するように構成し、前記閉弁位置から開弁位置までの前記点消火ボタンの押込み操作に連動して、ガスバーナーの火力が所定の火力なるように前記火力調節ダイヤルを強制的に回転させる強制回転手段を設け、該強制回転手段による火力調節ダイヤルの強制的な回転を、点消火ボタンが開弁位置に到達する前に完了させ、開弁位置で点消火ボタンと火力調節ダイヤルとの間の強制回転手段による係合関係を解除するようにしたことを特徴とする。
【００１３】
本発明によれば、点火操作を行うため閉弁位置から点消火ボタンを押込み操作すると、ガス通路が開放されてガスバーナーに燃料ガスが流れる。この場合、強制回転手段によって火力調節ダイヤルの回転が開始される。点火操作が完了すると点消火ボタンは開弁位置に到達する。その際、火力調節ダイヤルの所定位置への回転は既に完了し、また、ガス通路は開放保持される。
【００１４】
点消火ボタンの開弁位置で火力調節ダイヤルを回転させると、ガスバーナーに供給される燃料ガスのガス流量が増減されてガスバーナーの火力が調節できる。この場合、点消火ボタンと火力調節ダイヤルとの間の強制回転手段による係合関係が解除されているので、火力調節ダイヤルの操作性は損なわれず、調理者の回転操作感に悪影響を与えることはない。
【００１５】
ガスバーナーを消火するために、点消火ボタンを開弁位置から閉弁位置に移動すると、ガス通路が閉鎖されてガスバーナーへの燃料ガスの供給が停止される。
【００１６】
ここで、前記強制回転手段は、例えば点消火ボタンの外周面に設けた半径方向の孔に外側に向かって付勢して設けた突出片と、火力調節ダイヤルの内周面に設けたカム溝とから構成し、閉弁位置から開弁位置への点消火ボタンの移動に伴って突出片が前記孔内に収納されてカム溝から離れ、開弁位置で、突出片がカム溝と係合しないようにすればよい。
【００１７】
【発明の実施の形態】
図１を参照して、ガス制御装置１は、例えばガスコンロ２に組込まれる。この場合、ガスコンロ２は箱状のコンロ器体２１を有し、コンロ器体２１には、その上面を覆う天板２２に設けた２個の開口を臨むように２個のガスバーナー２３ａ、２３ｂが設けられている。
【００１８】
コンロ器体２１にはまた、その前面の両端に設けた前面パネル２４の間に位置してセラミックプレート式バーナー（図示せず）を設けたグリル２５が設けられている。そして、本発明のガス制御装置１によって２個のガスバーナー２３ａ、２３ｂ及びセラミックスプレート式バーナーへの燃料ガスの供給が制御される。
【００１９】
図２を参照して、ガス制御装置１は、上下に重ねて連結した２個の部分１１ａ、１１ｂから構成されるバルブケーシングを有する。下側に位置するバルブケーシングの第１部分１１ａには、バルブケーシングの長手方向に沿って延びる第１内部通路１２ａが設けられ、第１内部通路１２ａに連通するガス流入部１３が開設されている。
【００２０】
ガス流入部１３の下流側に位置して第１内部通路１２ａには電磁弁３が設けられている。電磁弁３はマグネットケース３１を有し、このマグネットケース３１には、例えばコンロ器体２１に設けた制御ユニット（図示せず）からの信号に基づいて励磁される電磁石とこれに吸着される吸着片とが収容されている。
【００２１】
吸着片にはマグネットケース３１から第１内部通路１２ａの下流側に向かって突出した第１弁体３２が連結されている。電磁弁３の閉弁状態では、第１弁体３２は、該第１弁体３２とマグネットケース３１との間に縮設したばね３３の付勢力によって、シール材３４ａを介して第１内部通路１２ａに設けた弁座部材３４の弁座に着座している。
【００２２】
該電磁弁３の開弁操作は、シール材４１を介して第１内部通路１２ａに挿設され、第１内部通路１２ａの長手方向に沿って前後に移動自在な操作ロッド４により行われる。また、操作ロッド４には第２弁体４２が設けられ、第２弁体４２は第１内部通路１２ａに設けた弁座４３と共に元弁を構成する。元弁の閉弁状態では、第２弁体４２は、第２弁体４２と弁座部材３４との間に縮設したばね４４により弁座４３に着座している。
【００２３】
操作ロッド４の前後方向の移動は、正面パネル２４から突出させて設けた点消火ボタン５の押込み操作によって行われる（図１参照）。点消火ボタン５は円筒形状に形成され、その第１内部通路１２ａ側の端面には、点消火ボタン５の移動に伴って操作ロッド４を押圧する押圧ロッド５ａが連結されている。
【００２４】
また、押圧ロッド５ａの一端は、第１部分１１ａの下側に設けたハートカム機構５ｂに連結されている。この場合、後述の火力調節ダイヤルの先端面から突出し第１内部通路１２ａを閉鎖する閉弁位置（図１に示す状態）から点火操作を行うために点消火ボタン５の押込み操作すると、押圧ロッド５ａを介して操作ロッド４が後方向（図２の右側）に押圧されて元弁を開弁させた後、弁体３２を吸着片側に押しきると共に点火手段である放電ユニット（図示せず）が作動する点火位置まで移動する。
【００２５】
点火位置から点消火ボタン５の押圧を開放すると、ハートカム機構５ｂで案内されて前方向（図２の左側）に移動して元弁を開弁保持して第１内部通路１２ａを開放した状態の開弁位置に到達する。消火操作を行うために開弁位置から点消火ボタン５をさらに押込み操作すると、ハートカム機構５ｂがリセットされて消化位置に戻される。
【００２６】
また、元弁の上流側に位置して第１部分１１ａにはガス流出口１４が設けられ、該ガス流出口１４は、第２部分１１ｂに設けた略Ｌ字形の第２内部通路１２ｂの一端と一致し、第１及び第２の各内部通路１２ａ、１２ｂがガス通路を構成する。
【００２７】
第２部分１１ｂの外周面には、所定の間隔を置いて４個の第１、第２、第３及び第４の各連通路１５ａ、１５ｂ、１５ｃ、１５ｄが相互に隔絶して設けられている。各連通路１５ａ、１５ｂ、１５ｃ、１５ｄを介して、第２部分１１ｂの上部に連結したガス流出部１６と第２内部通路１２ｂとが連通している。この場合、各連通路１５ａ、１５ｂ、１５ｃ、１５ｄの孔径は、前方向に向かって順次大きく形成している。
【００２８】
そして、ガス流出部１６から流出した燃料ガスは、ガスバーナー２３ａ、２３ｂ及びセラミックプレート式バーナーの各混合管に燃料ガスを噴射するガスノズル（図示せず）へと供給される。この場合、ガスノズルへの燃料ガスのガス量を調節するため、第２内部通路１２ｂには流量調節弁６が設けられている。
【００２９】
図２及び図３に示すように、流量調節弁６は、シール材６１ａを介して第２内部通路１２ｂに回転自在に設けた円筒形状の回転体６１を有する。回転体６１の外周面には、４本の円周方向の第１、第２、第３及び第４の各長溝６２ａ、６２ｂ、６２ｃ、６２ｄが、第１、第２、第３及び第４の各連通路１５ａ、１５ｂ、１５ｃ、１５ｄにそれぞれ対応させて形成されている。この場合、各長溝６２ａ、６２ｂ、６２ｃ、６２ｄの幅寸法は、各連通路１５ａ、１５ｂ、１５ｃ、１５ｄの孔径にそれぞれ一致させかつ円周方向にずらして形成している。
【００３０】
尚、本実施の形態では、各連通路１５ａ、１５ｂ、１５ｃ、１５ｄを通過してガス流出部１６へと流れる燃料ガスのガス流量を所定量に調節する４個のオリフィス孔６３ａ、６３ｂ、６３ｃ、６３ｄを形成したオリフィス部材６３を、各連通路１５ａ、１５ｂ、１５ｃ、１５ｄに一致させて第２部分１１ｂの外周面に装着している。そして、回転体６１を回転させて各長溝６２ａ、６２ｂ、６２ｃ、６２ｄを各連通路１５ａ、１５ｂ、１５ｃ、１５ｄと適宜一致させてガス流出部１６へと流れる燃料ガスのガス流量が調節される。
【００３１】
回転体６１の回転角の調節は、点消火ボタン５の周囲に設けた火力調節ダイヤル７により行われる。図４に示すように、火力調節ダイヤル７は中空円筒形状の基部７０ａにリング状のキャップ７０ｂを装着して構成されている。
【００３２】
火力調節ダイヤル７の第１内部通路１１ａ側の端部は所定ピッチで歯切りされ、歯切した部分７１が第２部分１１ｂから突出した回転体６１の一端部に嵌合した歯車７２と噛合っている。これにより、火力調節ダイヤル７の回転操作に同期して回転体６１が回転される。
【００３３】
ここで、ガスバーナー２３ａ、２３ｂの点火操作時、燃料ガスへの着火を確実に行うには、例えばガスバーナー２３ａ、２３ｂの火力が強または中になるように燃料ガスをガスバーナー２３ａ、２３ｂに供給するのがよい。
【００３４】
また、安全性を考慮して、子供等が点消火ボタン５に誤って接触して放電ユニットが作動しないようにいわゆるチャイルドロック機構を設けるのがよい。
【００３５】
図２乃至図６を参照して、本実施の形態では、前面パネル２４から突出した火力調節ダイヤル７の前方向の内周面にカム溝７３を形成すると共に、中空の火力調節ダイヤル７内を前後方向に移動する点消火ボタン５の外周面にカム溝７３と対偶をなす第１突出片５１を設けて強制回転手段を構成した。この場合、第１突出片５１は、点消火ボタンの外周面に設けた半径方向の孔５２に、半径方向外側に向かってばね５３で付勢した状態で設けられている。
【００３６】
これにより、ガスバーナ２３ａ、２３ｂの点火のため、閉弁位置から点消火ボタン５を押込み操作すると、第１突出片５１が原動節となって従動節であるカム溝７３が形成された火力調節ダイヤル７を所定の位置まで回転させる。
【００３７】
この場合、点消火ボタン５の押込み操作を利用して火力調節ダイヤル７を回転させるので、例えば点消火ボタン５と第１部分１１ａとの間に縮設したばね１７の付勢力を大きくする必要がなく、ガス制御装置の構造を簡素化できる。
【００３８】
ところで、開弁位置において火力調節ダイヤル７を回転させて火力調節する場合、突出片５１がカム溝７３に干渉したのでは、火力調節ダイヤル７の操作性が悪くなり、調理者の回転操作感に悪影響を与える可能性がある。
【００３９】
本実施の形態では、カム溝７３の壁面の高さが、点消火ボタン５の押込み操作につれて一方から他方に向かって低くなるように形成している。そして、閉弁位置から点消火ボタン５の押込み操作を行うと、点消火ボタン５の移動に伴って第１突出片５１が前記孔５２内に収納され、カム溝７３から長手方向に延びる平坦部７４に到達する。
【００４０】
さらに点消火ボタン５を押込み操作すると、前記孔５２に収納された第１突出片５１は平坦部７４に沿って移動して点火位置に到達する。そして、放電ユニットを作動させてガスバーナー２３ａ、２３ｂを点火した後、点消火ボタン５の押圧を解除すると、ハートカム機構５ｂに案内されてばね５ｃの付勢力によって少し戻り、点消火ボタン５は開弁位置に到達する。
【００４１】
開弁位置に対応して火力調節ダイヤル７の内周面には、平坦部７４と同一平面の回転案内路７５が形成され、回転案内路７５に沿って火力調節ダイヤル７は時計方向または反時計方向に回転自在となる。この場合、第１突出片５１は孔５２に完全に収納され、カム溝７３とは係合していない。
【００４２】
これにより、閉弁位置から開弁位置への点消火ボタン５の押込み操作に連動した第１突出片５１とカム溝７３との強制回転手段による火力調節ダイヤル７の強制的な回転は、点消火ボタン５が点火位置に到達する前に完了し、開弁位置では、点消火ボタン５の突出片５１と火力調節ダイヤル７のカム溝７３との係合は解除されている。
【００４３】
そして、火力調節ダイヤル７を、時計方向に回転させるとガス流量が絞られ、反時計方向に回転させるとガス流量が増加するように回転体６１が回転される。
【００４４】
この場合、火力調節ダイヤル７の回転範囲を制限するため、火力調節ダイヤル７の基部７０ａの外周壁に設けた凸部（図示せず）がコンロ器体２１に設けたストッパ（図示せず）に係合するまで反時計方向に回転させると、第２、第３及び第４の各長溝６２ｂ、６２ｃ、６２ｄが第２、第３及び第４の各連通路１５ｂ、１５ｃ、１５ｄにそれぞれ一致してガス流出部１６へのガス量が最大となるように回転体６１を配置する。
【００４５】
他方で、第１長溝６２ａが第１連通路１５ａとのみ一致する位置に、点消火ボタン５の一端に設けた突出部５６が接触する回転止め７６を回転案内路７５設けている（図６参照）。
【００４６】
これにより、開弁位置では、火力調節ダイヤル７が、ガス流出部１６へのガス流量を最小にしてガスバーナー２３ａ、２３ｂの火力を小とする小火力と、ガス流量を最大にしてガスバーナー２３ａ、２３ｂの火力を強とする強火力との間の火力調節範囲内でのみ回転自在となり、回転案内路７５の一端部と回転止め７６とが回転範囲制限手段を構成する。
【００４７】
ここで、調理者による火力調節が容易になるように、例えば、ガスバーナー２３ａ、２３ｂの火力が弱及び中となる位置で、クリックを発生させるようにしてもよい。
【００４８】
図３に示すように、第１突出片５１に対向して点消火ボタン５の外周面に第２突出片５４を設ける。この場合、第１突出片５１より小径の第２突出片５４は、点消火ボタン５の外周面に設けた半径方向の孔５５に、半径方向外側に向かってばね５６で付勢した状態で設けられている。
【００４９】
また、回転案内路７５の所定の位置に、第２突出片５４のみが係合可能な半径方向の第１及び第２の凹部７７、７８をそれぞれ形成する。そして、例えば、火力調節ダイヤル７を最小流量（この場合、ガスバーナー２３ａ、２３ｂの火力は小）から反時計方向に回転させて第２突出片５４が第１凹部７７に係合するとクリックを発生させる。この場合、第１長溝６２ａに加えて第２長溝６２ｂが第２連通路１５ｂに一致してガス流出部１６へのガス流量が増加してガスバーナー２３ａ、２３ｂの火力が弱となる。
【００５０】
さらに火力調節ダイヤル７を反時計回りに回転させ、第２凹部７８と第２突出片５４が係合するとクリックを発生させる。この場合、第１及び第２の長溝６２ａ、６２ｂに加えて第３長溝６２ｃが第３連通路１５ｃに一致してガス流出部１６へのガス流量が増加してガスバーナー２３ａ、２３ｂの火力が中となる。
【００５１】
また、点消火ボタン５の閉弁位置では、火力調節ダイヤル７が火力調節範囲を超えて時計方向に回転できるようにカム溝７３を形成している。火力調節範囲を超えて火力調節ダイヤル７をカム溝７３の一端部まで回転させると第１突出片５１が、カム溝７３の一端部に形成した操作ボタン５の押圧方向に対し直角な壁面７３ａに係合する。
【００５２】
これにより、チャイルドロック機構のため別個の操作部を設けることなく、閉弁位置から点火位置に点消火ボタン５を押圧して移動させることができず、ガスバーナーの点火手段が作動しないロック位置が形成される。
【００５３】
次に、ガスバーナー２３ａを用いて本発明のガス制御装置１の作動を説明する。図２に示す閉弁位置から、点消火ボタン５の押込み操作を行うと、第１突出片５１とカム溝７３との作用により火力調節ダイヤル７が回転される。
【００５４】
ここで、図７には、ガスバーナー２３ａの火力が弱の位置で消火された後、点消火ボタン５を操作して点火操作を行う場合の火力調節ダイヤル７の作動例が示されている。
【００５５】
点消火ボタン５を押込み操作すると、操作ボタン５の突出片５１がカム溝７３に当接する。カム溝７３に当接すると、点消火ボタン５の移動に伴って火力調節ダイヤル７が回転される。それに伴って、第１突出片５１が前記孔５２内に収納されつつ、カム溝７３から長手方向に延びる平坦部７４まで到達する。
【００５６】
この場合、回転体６１は、歯車７２を介して回転され、この位置では、第１、第２及び第３の各長溝６２ｂ、６２ｃ、６２ｄが第１、第２及び第３の各連通路１５ｂ、１５ｃ、１５ｄにそれぞれ一致し、ガスバーナー２３ａの火力を中とするガス流量の燃料ガスがガス流出部１６へ流れる（図６（ｄ）及び図１１参照）。
【００５７】
点消火ボタン５の押込み操作を続けると、図８に示すように、押圧ロッド５ａを介して操作ロッド４を後方向に押圧して元弁を開弁させ、弁体３２を吸着片側に押しきる点火位置に到達する。
【００５８】
点火位置に到達すると、放電ユニットによってガスバーナー２３ａの点火操作が行われる。そして、ガスバーナー２３ａの近傍に設けた火炎検出素子２６（図１参照）がガスバーナー２３ａの火炎を検出すると、制御ユニットからの信号で電磁弁３が励磁されて開弁保持される。
【００５９】
ガスバーナー２３ａが着火したことを確認して点消火ボタン５の押圧を解除すると、点消火ボタン５は、ハートカム機構５ｂに案内されて図９に示す開弁位置に到達する。開弁位置では、元弁は操作ロッド４の押圧作用で開弁保持されると共に、火力調節ダイヤル７が火力調節範囲内で回転自在になる。
【００６０】
そして、ガスバーナーの火力を強めるため、中火位置から、火力調節ダイヤル７の基部７０ａの外周壁に設けた凸部がコンロ器体２１に設けたストッパに係合するまで反時計方向に回転させると、第２、第３及び第４の各長溝６２ｂ、６２ｃ、６２ｄが第２、第３及び第４の各連通路１５ｂ、１５ｃ、１５ｄにそれぞれ一致し、ガスバーナー２３ａの火力を強とするガス流量の燃料ガスがガス流出部１６へ流れる（図６（ｅ）及び図１０参照）。
【００６１】
他方で、中火からガスバーナー２３ａの火力を絞るため、第２突出片５４が第１凹部７７に係合してクリックを発生するまで火力調節ダイヤル７を時計方向にさらに回転させると、第１及び第２の各長溝６２ａ、６２ｂが第１及び第２の各連通路１５ａ、１５ｂにそれぞれ一致し、ガスバーナー２３ａの火力を弱とするガス流量の燃料ガスがガス流出部１６へ流れる（図６（ｃ）及び図３参照）。
【００６２】
次いで、第１突出片５１が回転止め７６に接触するまで火力調節ダイヤル７を時計方向に回転させると、第１長溝６２ａが第１連通路１５ａとのみ一致し、ガスバーナー２３ａの火力を小とする最小ガス流量の燃料ガスがガス流出部１６へ流れる（６（ｂ）及び図１２参照）。
【００６３】
ガスバーナー２３ａを消火する場合、開弁位置から後方向に点消火ボタン５を押込み操作すると、ハートカム機構ｂがリセットされ、点消火ボタン５は、ばね５ｃの付勢力を受けて図２に示す火力調節ダイヤル７から突出した閉弁位置まで後退する。
【００６４】
この場合、押圧ロッド５ａの押圧が解除された操作ロッド４は、ばね３４の付勢力を受けて後方向に移動し、元弁を閉弁する。元弁が閉弁されるとガスバーナー２３ａへの燃料ガスの供給が停止されて消火される。火炎検出素子２６によって火炎が消えたことを制御ユニットが認識すると電磁弁３が閉弁される。
【００６５】
最後に、閉弁位置で、火力調節ダイヤル７を、カム溝７３に沿って火力調節範囲を超えて時計方向に回転させると、第１突起片５１がカム溝７３の壁面７３ａに係合して点消火ボタン５が押圧不能となりチャイルドロックされる。
【００６６】
尚、本実施の形態では、点消火ボタン５を押込み操作して点火操作を行う場合、強制回転手段により火力調節ダイヤル７が、ガスバーナー２３ａ、２３ｂの火力が中となる位置まで回転されるようにしたが、これに限定されるものではない。
【００６７】
例えば、図１３（ａ）に示すように、カム溝７３を構成し、ガスバーナー２３ａ、２３ｂの火力が強となる位置まで火力調節ダイヤル７が回転されるようにしてもよい。
【００６８】
また、図１３（ｂ）に示すように、直前にガスバーナー２３ａ、２３ｂを消火した際、火力を強とする位置に火力調節ダイヤル７がある場合には、次の点火操作の際、そのままの状態で点火操作を行い、火力を中とする位置より火力小側でガスバーナー２３ａ、２３ｂが消火されている場合だけ、ガスバーナー２３ａ、２３ｂの火力が中となる位置まで火力調節ダイヤル７が回転されるようにしてもよい。
【００６９】
【発明の効果】
以上説明したように本発明のガス制御装置は、火力調節ダイヤルの操作性が損なわれず、調理者の回転操作感に悪影響を与えることが防止されるという効果を奏する。
【図面の簡単な説明】
【図１】本発明のガス制御装置を組込んだガスコンロの斜視図
【図２】閉弁位置にある本発明のガス制御装置の断面図
【図３】（ａ）は、ガスバーナー弱火の場合の点消火ボタンに対する火力調節ダイヤルの位置を説明する図。（ｂ）は、ガスバーナー弱火の場合の回転体の位置を説明する図。
【図４】点消火ボタンと火力調節ダイヤルとの構成を説明する分解斜視図
【図５】（ａ）乃至（ｄ）は、火力調節ダイヤルに対する点消火ボタンの第１突出片の位置を説明する図
【図６】（ａ）乃至（ｅ）は、開弁位置における回転体の回転位置と、火力調節ダイヤルに対する第２突出片の位置とを説明する図
【図７】点火操作時の火力調節ダイヤルの強制的な回転を説明する図
【図８】点火位置にある本発明のガス制御装置の断面図
【図９】開弁位置にある本発明のガス制御装置の断面図
【図１０】（ａ）は、ガスバーナー強火の場合の点消火ボタンに対する火力調節ダイヤルの位置を説明する図。（ｂ）は、ガスバーナー強火の場合の回転体の位置を説明する図。
【図１１】（ａ）は、ガスバーナー中火の場合の点消火ボタンに対する火力調節ダイヤルの位置を説明する図。（ｂ）は、ガスバーナー中火の場合の回転体の位置を説明する図。
【図１２】（ａ）は、ガスバーナー小火の場合の点消火ボタンに対する火力調節ダイヤルの位置を説明する図。（ｂ）は、ガスバーナー小火の場合の回転体の位置を説明する図。
【図１３】点火操作時の火力調節ダイヤルの強制的な回転の変形例を説明する図
【符号の説明】
１　ガス制御装置
１１ａ、１１ｂ　バルブケーシング
１２ａ、１２ｂ　内部通路
１３　ガス流入部
１６　ガス流出部
５　点消火ボタン
７　火力調節ダイヤル
５１、７３　強制回転手段
【図１】
2004012063.tif 000003
【図２】
2004012063.tif 000004
【図３】
2004012063.tif 000005
【図４】
2004012063.tif 000006
【図５】
2004012063.tif 000007
【図６】
2004012063.tif 000008
【図７】
2004012063.tif 000009
【図８】
2004012063.tif 000010
【図９】
2004012063.tif 000011
【図１０】
2004012063.tif 000012
【図１１】
2004012063.tif 000013
【図１２】
2004012063.tif 000014
【図１３】
2004012063.tif 000015